【事件の表示】
　特願２０１３−５５２５３８「特定地域在庫検索用のメタデータ使用」拒絶査定不服審判事件〔平成２４年　８月　９日国際公開、ＷＯ２０１２／１０６０９６、平成２６年　４月１０日国内公表、特表２０１４−５０９００２〕について、次のとおり審決する。
【結　論】
　本件審判の請求は、成り立たない。
【理　由】
第１　手続の経緯
　
　本願は，２０１２年１月１６日（パリ条約による優先権主張外国庁受理　２０１１年２月２日，米国）を国際出願日とする出願であって，平成２６年１月７日付けで拒絶理由通知がなされ，同年４月８日に手続補正がなされたが，同年６月１９日付けで拒絶査定がなされ，これに対して，同年１０月２３日に拒絶査定不服審判請求がなされるとともに，手続補正がなされたものである。
　
第２　平成２６年１０月２３日の手続補正の補正却下の決定について
　
［補正却下の決定の結論］
　平成２６年１０月２３日の手続補正を却下する。
［理由］
１．手続補正の目的
　
　平成２６年１０月２３日の手続補正（以下，「本件補正」という。）により，請求項１は，次のとおりに補正された（下線は，審判請求人が補正箇所を示すために付与したものである。）。
＜本件補正後の請求項１＞
「　動的デジタルイベントにおける複数の選択可能な品目に関する情報を選択し，かつ検索する方法であって，
　エンドユーザの電子デバイス上に提示するための前記動的デジタルイベントの準備をするステップであって，
　　前記動的デジタルイベント内の前記複数の選択可能な品目の各々に対して複数のタグを作成するステップであって，前記タグは前記動的デジタルイベント内の前記複数の選択可能な品目の各々に対してその全部または一部を識別するものであり，前記複数の選択可能な品目の各々は，前記動的デジタルイベント内に表示される有体物を示すものであり，かつ，前記複数の選択可能な品目は購入可能であるステップと，
　　前記複数の選択可能な品目の各々に対してメタデータを追加するステップであって，前記メタデータは前記複数の選択可能な品目の各々に対する記述を含む，ステップと，
　　
前記動的デジタルイベントが前記エンドユーザの前記電子デバイス上に表示可能となる前に，作成した前記複数のタグと追加した前記メタデータとを前記動的デジタルイベントに含めるステップと，
を含むステップと，
　前記動的デジタルイベントの少なくとも一部内に前記複数の選択可能な品目のうちの一つ以上が存在することの指示を前記エンドユーザの前記電子デバイス上に表示するステップと，
　前記複数の選択可能な品目のうちの少なくとも一つの品目を前記エンドユーザが選択したか否かを決定するステップと，
　前記少なくとも一つの品目を前記エンドユーザが選択したという前記決定に基づいて，前記エンドユーザの前記
電子
，選択された
，且つ，表示されている前記動的デジタルイベントのコンテンツ内に含まれている
　
　本件補正前の請求項１は，次のとおりである。
＜本件補正前の請求項１＞
「動的デジタルイベントにおける複数の選択可能な品目に関する情報を選択し，かつ検索する方法であって，
　エンドユーザの電子デバイス上に提示するための前記動的デジタルイベントの準備をするステップであって，
　　　前記動的デジタルイベント内の前記複数の選択可能な品目の各々に対して複数のタグを作成するステップであって，前記タグは前記動的デジタルイベント内の前記複数の選択可能な品目の各々に対してその全部または一部を識別するものであり，前記複数の選択可能な品目の各々は，前記動的デジタルイベント内に表示される有体物を示すものであり，かつ，前記複数の選択可能な品目は購入可能であるステップと，
　　　前記複数の選択可能な品目の各々に対してメタデータを追加するステップであって，前記メタデータは前記複数の選択可能な品目の各々に対する記述を含む，ステップと，を含むステップと，
　前記動的デジタルイベントの少なくとも一部内に前記複数の選択可能な品目のうちの一つ以上が存在することの指示を前記エンドユーザの前記電子デバイス上に表示するステップと，
　前記複数の選択可能な品目のうちの少なくとも一つの品目を前記エンドユーザが選択したか否かを決定するステップと，
　前記少なくとも一つの品目を前記エンドユーザが選択したという前記決定に基づいて，
前記エンドユーザの前記電子デバイス上に前記少なくとも一つの品目に対応付けられた前記メタデータを表示するステップと，を含む，ことを特徴とする方法。」
　
　本件補正は，請求項１において，次の補正をするものである。
　
（１）「前記複数の選択可能な品目の各々に対してメタデータを追加するステップであって，前記メタデータは前記複数の選択可能な品目の各々に対する記述を含む，ステップ」の後に，「前記動的デジタルイベントが前記エンドユーザの前記電子デバイス上に表示可能となる前に，作成した前記複数のタグと追加した前記メタデータとを前記動的デジタルイベントに含めるステップ」を追加する補正。
（２）「前記少なくとも一つの品目」を「選択された前記少なくとも一つの品目」に補正して，「少なくとも一つの品目」を「選択された」ものに限定する補正。
（３）「少なくとも一つの品目に対応付けられた前記メタデータ」を「前記少なくとも一つの品目に対応付けられ，且つ，表示されている前記動的デジタルイベントのコンテンツ内に含まれている前記メタデータ」に補正して，メタデータを「表示されている前記動的デジタルイベントのコンテンツ内に含まれている」ものに限定する補正。
　
　上記（１）の補正は，「エンドユーザの電子デバイス上に提示するための前記動的デジタルイベントの準備をするステップ」を構成する複数のステップに，新たなステップを追加する補正である。この補正は，上記ステップに関する事項を下位に限定するものではなく，新たな事項を追加するものであり，この補正により，動的デジタルイベントを視聴するときには常にタグとメタデータが利用可能であるという新たな課題を解決しようとするものである。
　したがって，本件補正は，請求項に記載した発明を特定するために必要な事項を限定するものではなく，さらに，本件補正前後で解決しようとする課題も同一ではないから，特許法第１７条の２第５項第２号に規定される，「特許請求の範囲の減縮（第三十六条第五項の規定により請求項に記載した発明を特定するために必要な事項を限定するものであつて，その補正前の当該請求項に記載された発明とその補正後の当該請求項に記載される発明の産業上の利用分野及び解決しようとする課題が同一であるものに限る。） 」を目的とするものではない。
　また，上記（１）の補正は，請求項の削除，誤記の訂正，明りようでない記載の釈明を目的とするものでもない。
　したがって，本件補正は，特許法第１７条の２第５項の規定に違反するものである。
２．独立特許要件違反について
　
　仮に，請求項１に係る本件補正が，特許請求の範囲の減縮を目的とするものである場合に，特許法第１７条の２第６項において準用する同法第１２６条第７項の規定を満たすか否か，すなわち，本件補正後の請求項１に係る発明（以下，「本件補正発明」という。）が，特許出願の際独立して特許を受けることができるか否かについて検討する。
　
３．引用文献
　
（１）国際公開第２０１０−１４１９３９号
　原査定の拒絶の理由において引用された国際公開第２０１０−１４１９３９号（国際公開日　２０１０年１２月９日，以下「引用文献１」という。）には，次の事項が記載されている。（下線は，当審において付与した。）
　
ア．「[0043] FIG. 1 is a simplified illustration of platform 100 for smart content tagging and interaction in one embodiment according to the present invention. In this example, platform 100 includes access to content 105. Content 105 may include textual information, audio information, image information, video information, content metadata, computer programs or logic, or combinations of textual information, audio information, image information, video information, and computer programs or logic, or the like. Content 105 may take the form of movies, music videos, TV shows, documentaries, music, audio books, images, photos, computer games, software, advertisements, digital signage, virtual or augmented reality, sporting events, theatrical showings, live concerts, or the like.」
（当審訳：
[0043]　図１は，本発明に従う一実施形態における
スマートコンテンツをタグ付けし，スマートコンテンツと対話する
コンテンツ１０５は
ビデオ情報
コンテンツ１０５は，映画
テレビ番組
等の形をとることができる
イ．「[0049]・・・（中略）・・・In another example, content distribution 110 may include the broadcasting of content 105, such as through wired/wireless terrestrial radio/TV signals, satellite radio/TV signals, WIFI/WIMAX, cellular distribution, or the like. 」
（当審訳：
[0049]・・・（中略）・・・別の例では，
コンテンツ配信１１０が
有線または無線の地上波の
テレビ信号，衛星の
テレビ信号
を含めることができる
　
ウ．「[0050] In various embodiments, content distribution 110 may include the delivery of tags 115. In other embodiments, content 105 and tags 115 may be delivered to users separately. For example, platform 100 may include tag repository 120. Tag repository 120 can include one or more databases or information storage devices configured to store tags 115. In various embodiments, tag repository 120 can include one or more databases or information storage devices configured to store information associated with tags 115 (e.g., tag associated information). In further embodiments, tag repository 120 can include one or more databases or information storage devices configured to links or relationships between tags 115 and tag associated information (TAI). Tag repository 120 may be accessible to creators or provides of content 105, creators or providers of tags 115, and to ends users of content 105 and tags 115.」
（当審訳：
[0050]　様々な実施形態では，
コンテンツ配信１１０がタグ１１５の配信を含むことができる。他の実施形態では，コンテンツ１０５とタグ１１５を別々にユーザに配信することができる。
タグ・リポジトリ１２０は，タグ１１５を格納する
タグ・リポジトリ１２０が，タグ１１５に関連付けられた情報（例えば，タグ関連情報）を格納する
タグ・リポジトリ１２０が，タグ１１５とタグ関連情報（ＴＡＩ）の間のリンクまたは関係を格納する
コンテンツ１０５およびタグ１１５のエンド・ユーザにアクセス可能とする
　
エ．「[0052] Referring again to FIG. 1, in another aspect of supporting non-invasive interaction of content 105, platform 100 can include content interaction 125. Content interaction 125 can include any mechanism, services, or technology enabling one or more users to consume content 105 and interact with tags 115. For example, content interaction 125 can include various hardware and/or software elements, such as content playback devices or content receiving devices, such as those supporting embodiments of content distribution 110. 」
（当審訳：
[0052]　再び図１を参照すると，コンテンツ１０５の非侵襲な対話のサポートの別の態様では，プラットフォーム１００はコンテンツ対話１２５を含むことができる。コンテンツ対話１２５は，１人または複数人のユーザがコンテンツ１０５を消費しタグ１１５と対話できるようにするための任意の機構，サービス，または技術を含むことができる。例えば，
コンテンツ対話１２５は，
コンテンツ再生装置またはコンテンツ受信装置を含む
　
オ．「[0067] Referring again to FIG. 1, in another aspect of supporting non-invasive interaction of content 105, platform 100 can include the delivery of tag associated information (TAI) 135 for tags 115. TAI 135 can include information, further content, and/or one or more actions. For example, if a user desires further information about an item, person, or place, the user can mark the item, person, or place, and TAI 135 corresponding to the tag for the marked item, person, or place can be presented. In another example, TAI 135 corresponding to the tag for the marked item, person, or place can be presented with allows the user to perform one or more actions, such as purchase the item, content or email the person, or book travel to the place of interest.」
（当審訳：
[0067]　再び図１を参照すると，コンテンツ１０５の非侵襲な対話のサポートの別の態様では，プラットフォーム１００は，タグ１１５に対するタグ関連情報（ＴＡＩ）１３５を配信することができる。
ＴＡＩ１３５は，情報，別のコンテンツ，および／または１つもしくは複数のアクションを含むことができる。例えば，ユーザがアイテム
に関する情報をさらに望む場合には，ユーザは当該アイテム
をマークすることができ，当該マークしたアイテム
に対するタグに対応するＴＡＩ１３５を提示することができる。別の例では，当該マークしたアイテム
に対するタグに対応するＴＡＩ１３５を提示することができ，当該ＴＡＩ１３５によりユーザは，１つまたは複数のアクション，例えば，アイテム
の購入
を行うことができる
　
カ．「[0070] In various embodiments, TAI 135 can be provided by local marking services 140 or external marking services 145. Local marking services 140 can include hardware and/or software elements under the user's control, such as the content playback device with which the user consumes content 105. In one embodiment, local marking services 140 provide only TAI 135 that has been delivered along with content 105. In another embodiment, local marking services 140 may provide TAI 135 that has been explicitly downloaded or selected by a user. In further embodiments, local marking services 140 may be configured to retrieve TAI 135 from one or more servers associated with platform 100 and cache TAI 135 for future reference.」
（当審訳：
[0070]　様々な実施形態では，ＴＡＩ１３５を，ローカルのマーキング・サービス１４０または外部のマーキング・サービス１４５によって提供することができる。
ローカルのマーキング・サービス１４０は
ユーザがコンテンツ１０５を消費するコンテンツ再生装置を含む
ローカルのマーキング・サービス１４０は，コンテンツ１０５とともに配信されたＴＡＩ１３５のみを提供する。別の実施形態では，ローカルのマーキング・サービス１４０は，ユーザによって明示的にダウンロードまたは選択されたＴＡＩ１３５を提供することができる。別の実施形態では，ローカルのマーキング・サービス１４０を，ＴＡＩ１３５をプラットフォーム１００に関連付けられた１つまたは複数のサーバから取り出して将来参照するためにＴＡＩ１３５をキャッシュするように，構成することができる
　
キ．「[0078] Metalogging
　
[0079] FIG. 2 is a flowchart of method 200 for providing smart content tagging and interaction in one embodiment according to the present invention. Implementations of or processing in method 200 depicted in FIG. 2 may be performed by software (e.g., instructions or code modules) when executed by a central processing unit (CPU or processor) of a logic machine, such as a computer system or information processing device, by hardware components of an electronic device or application-specific integrated circuits, or by combinations of software and hardware elements. Method 200 depicted in FIG. 2 begins in step 210.
[0080] In step 220, content or content metadata is received. As discussed above, the content may include multimedia information, such as textual information, audio information, image information, video information, or the like, computer programs, scripts, games, logic, or the like. Content metadata may include information about content, such as time code information, closed-captioning information, subtitles, album data, track names, artist information, digital restrictions, or the like. Content metadata may further information describing or locating objects represented in the content. The content may be premastered or broadcast in real-time.
　
[0081] In step 230, one or more tags are generated based on identifying items represented in the content. The process of tagging content may be referred to as metalogging. In general, a tag may identify all or part of the content or an object represented in content, such as an item, person, product, service, phrase, song, tune, place, location, building, etc. A tag may have an identifier than can be used to look up information about the tag and a corresponding object represented in content. In some embodiments, a tag may further identify the location of the item within all or part of the content.
[0082] In step 240, one or more links between the one or more tags and tag associated information (TAI) are generated. A link can include one or more relationships between a tag and TAI. In some embodiment, a link may include or be represented by one or more static relationships, in that an association between a tag and TAI never changes or changes infrequently. In further embodiments, the one or more links between the one or more tags and the tag associated information may have dynamic relationships. TAI to which a tag may be associated may change based on application of business rules, based on time, per user, based on payment/subscription status, based on revenue, based on sponsorship, or the like. Accordingly, the one or more links can be dynamically added, activated, deactivated, removed, or modified at any time and for a variety of reasons.
[0083] In step 250, the links are stored and access is provided to the links. For example, information representing the links may be stored in tag repository 120 of FIG. 1. In another example, information representing the links may be stored in storage devices accessible to local marking services 140 or external marking services 145. FIG. 2 ends in step 260.」
（当審訳：
[0078]　メタロギング
　
[0079]　図２は，本発明に従う一実施形態における，
スマートコンテンツをタグ付けし，スマートコンテンツと対話する方法
　
[0080]　
ステップ２２０で，コンテンツまたはコンテンツ・メタデータを受信する
　
[0081]　
ステップ２３０で，コンテンツ内で表示されたアイテムを特定したことに基づいて，１つまたは複数のタグを生成する
タグが
コンテンツ内で表示された
アイテム
製品
等を特定することができる。タグは識別子を有する
　
[0082]　
ステップ２４０で，１つまたは複数のタグとタグ関連情報（ＴＡＩ）の間の１つまたは複数のリンクを生成する
　
[0083]　
ステップ２５０で，リンクを格納し，当該リンクに対するアクセスを提供する
例えば，リンクを表す情報を図１のタグ・リポジトリ１２０に格納することができる。別の例では，リンクを表す情報を，ローカルのマーキング・サービス１４０または外部のマーキング・サービス１４５にアクセス可能な記憶装置に格納することができる
　
ク．「[0102] Smart Content Interaction
[0103] FIG. 7 is a flowchart of method 700 for interacting with tagged content in one embodiment according to the present invention. Method 700 in FIG. 7 begins in step 710. In step 720, content is received. As discussed above, content may be received via media distribution, broadcast distribution, streaming, on-demand delivery, live capture, or the like. In step 730, tags are received. As discussed above, tags may be received via media distribution, broadcast distribution, streaming, on-demand delivery, live capture, or the like. Tags may be received at the same device as the content. Tags may also be received at a different device (e.g., a companion device) than the content.
[0104] In step 740, at least one tag is selected. A user may select a tag while consuming the content. Additionally, a user may select a tag while pausing the content. A user may select a tag via a remote control, keyboard, touch screen, etc. A user may select a tag from a list of tags. A user may select an item represented in the content, and the corresponding tag will be selected. In some embodiments, the user may select a region of content or an entire portion of content, and any tags within the region or all tags in the entire portion of content are selected.
[0105] In step 750, TAI associated with the at least one tag is determined. For example, links between tags and TAI are determined or retrieved from a repository. In step 760, one or more actions are performed or information determined based on TAI associated with the at least one tag. For example, an application may be launched, a purchase initiated, an information dialog displayed, a search executed, or the like. FIG. 7 ends in step 770.」
（当審訳：
[0102]　スマートコンテンツとの対話
　
[0103]　図７は，本発明に従う一実施形態における，
タグ付きコンテンツと対話する方法
ステップ７２０で，コンテンツを受信する。上記のように，コンテンツを
メディア配信，ブロードキャスト配信
等を介して受信する
タグをメディア配信，ブロードキャスト配信
等を介して受信する
　
[0104]　
ステップ７４０で，少なくとも１つのタグを選択する。ユーザは，コンテンツを消費している間にタグを選択することができる。さらに，ユーザは，コンテンツを一時停止している間にタグを選択することができる
ユーザはコンテンツ内で表示されたアイテムを選択することができ，そうすると対応するタグが選択される
　
[0105]　
ステップ７５０で，少なくとも１つのタグに関連するＴＡＩを決定する。例えば，タグとＴＡＩの間のリンクを決定するかまたはリポジトリから取り出す
ステップ７６０で，１つまたは複数のアクションを実行するか，または，少なくとも１つのタグに関連するＴＡＩに基づいて情報を決定する。例えば，
購入の開始，情報ダイアログの表示，検索の実行，等を行うことができる
　
ケ．「[0107] FIG. 21 illustrates an example of content tagged or metalogged using platform 100 of FIG. 1 in one embodiment according to the present invention. In this example, content 2100 includes encoded interactive content based on original content that has been processed by platform 100 (e.g., metalogging). In the scene shown, one or more interactive content markers 2110 (e.g., visual representations of tags 115) are shown wherein each interactive content marker indicates that a tag and potentially additional information is available about a piece of interactive content in the piece of content. For example, one of interactive content markers 2110 marking the bow tie worn by a person in the scene indicates that tag associated information (e.g., further information and/or one or more actions) is available about the bowtie. 」
（当審訳：
 [0107]　図２１は，本発明に従う一実施形態における，図１のプラットフォーム１００を用いてタグ付けまたはメタロギングされたコンテンツの一例を示す。本例では，コンテンツ２１００は，プラットフォーム１００によって処理（例えば，メタロギング）された元のコンテンツに基づくエンコードされた対話的なコンテンツを含む。
表示されたシーンにおいて，１つまたは複数の対話的なコンテンツ・マーカ２１１０（例えば，タグ１１５の視覚的表現）を表示する。ここで，それぞれの対話的なコンテンツ・マーカは，対話的なコンテンツの一部に関するタグおよび潜在的な追加情報がコンテンツの一部において利用可能であることを示す。例えば，シーン内の人によって着用されている蝶ネクタイをマークする対話的なコンテンツ・マーカ２１１０の１つは，当該蝶ネクタイに関するタグ関連情報（例えば，追加の情報および／または１つもしくは複数のアクション）が利用可能であることを示す
　当審注：コンテンツ・マーカ２１１０は，コンテンツ・マーカ９１０の誤記と解される。）
　
　前記ア．〜ケ．によれば，引用文献１には，次の発明（以下，「引用発明」という。）が記載されているといえる。
　
＜引用発明＞
「スマートコンテンツをタグ付けし，スマートコンテンツと対話するための方法であって，
　コンテンツまたはコンテンツ・メタデータを受信し（ステップ２２０），当該コンテンツは，ビデオ情報を含み，映画，テレビ番組等の形をとることができ，
　コンテンツ内で表示されたアイテムを特定したことに基づいて，１つまたは複数のタグを生成し（ステップ２３０），当該タグは，コンテンツ内で表示された，アイテム，製品等を特定し，識別子を有し，
　タグとタグ関連情報（ＴＡＩ）の間のリンクを生成し（ステップ２４０），当該タグ関連情報は，情報，アクションを含み，例えば，ユーザがアイテムに関す情報をさらに望む場合には，ユーザは当該アイテムをマークし，当該マークしたアイテムに対するタグに対応するタグ関連情報を提示し，別の例では，当該マークしたアイテムに対するタグに対応するタグ関連情報を提示し，当該タグ関連情報によりユーザは，アクション，例えば，アイテムの購入を行うことができ，
　リンクを格納し，当該リンクに対するアクセスを提供し（ステップ２５０），例えば，リンクを表す情報を，タグ・リポジトリ１２０に格納することができ，別の例では，リンクを表す情報を，ユーザがコンテンツ１０５を消費するコンテンツ再生装置にアクセス可能な記憶装置に格納し，
　タグ付きコンテンツとの対話において，
　コンテンツ再生装置は，コンテンツを，メディア配信，ブロードキャスト配信等を介して受信し，（ステップ７２０），タグをメディア配信，ブロードキャスト配信等を介して受信し（ステップ７３０），
　ユーザは，コンテンツ再生装置でコンテンツを消費している間に，あるいは，コンテンツを一時停止している間に，コンテンツ内で表示されたアイテムを選択し，そうすると，対応するタグが選択され（ステップ７４０），その際，表示されたシーンにおいて，タグの視覚的表現である，１つまたは複数の対話的なコンテンツ・マーカ９１０を表示し，例えば，シーン内の人によって着用されている蝶ネクタイをマークする対話的なコンテンツ・マーカ９１０の１つは，当該蝶ネクタイに関するタグ関連情報（例えば，追加の情報および／または１つもしくは複数のアクション）が利用可能であることを示し，
　選択されたタグに関連するタグ関連情報を決定し，例えば，タグとタグ関連情報等の間のリンクを決定するかリポジトリから取り出し（ステップ７５０），
　選択されたタグに関連するタグ関連情報に基づいて，アクションを実行し，または，情報を決定し，例えば，購入の開始，情報ダイアログの表示，検索の実行を行い，（ステップ７６０），
　コンテンツ配信は，テレビ信号等を介したコンテンツのブロードキャストを含み，
　コンテンツ配信は，タグの配信を含むことができ，また，コンテンツとタグを別々に配信することができ，例えば，タグをタグ・リポジトリに格納することができ，
　タグ・リポジトリは，タグ関連情報，リンクを格納することができ，コンテンツ及びタグのエンド・ユーザにアクセス可能であり，
　コンテンツ再生装置は，コンテンツとともに配信されたタグ関連情報のみを提供し，別の実施形態では，ユーザによって明示的にダウンロードまたは選択されたタグ関連情報を提供し，別の実施形態では，タグ関連情報をサーバから取り出してキャッシュするように構成することができる，方法。」
（２）特開２００５−５１５６５６号公報
　
　当審において新たに引用した，特開２００５−５１５６５６号公報（以下，「引用文献２」という。）には，次の事項が記載されている。
　
「【０００１】
  本発明は，全般的にはインタラクティブ・テレビジョン・システムに関し，具体的には，インタラクティブ・テレビジョン・システムでの買物のシステムおよび方法に関する。」
「【００２９】
  製品またはサービスの購入
  ・・・（中略）・・・図４に，テレビジョン放送ストリーム内の情報を使用して製品またはサービスの視聴者による購入を促す方法の一実施形態の概要を示す。まず，製品またはサービスに関連する情報を，視聴者に伝達される（ブロック４０２）放送ストリームに加える（ブロック４００）。放送に対応する通常のオーディオ／ビデオを表示するほかに，製品情報が現在使用可能であることの表示を視聴者に表示する（ブロック４０４）。たとえば，製品情報が使用可能であることを示すアイコンを画面に表示する。視聴者は，製品またはサービスに関心を持つ場合に，製品に対する関心を記録する（ブロック４０８）機会を与えるリモート・コントロールまたは他のデバイスを用いて，アイコンを選択す
る。しかし，複数のメニューおよび選択オプションで視聴者の視聴の楽しみを中断するのではなく，単に，後のより便利な時の検索のために製品情報を保管することができる。たとえば，一実施形態では，サービスまたは製品が使用可能であることのアイコンまたは他の表示の出現時に，視聴者がリモート・コントロールの一つのボタンを押して，製品情報を後の検索のために保管することができる。後に，おそらくは視聴者が現在のテレビジョン番組を見終えた後に，視聴者は，再検討のために，保管された製品情報を検索することができる（ブロック４１０）。その時に，視聴者がその製品を購入すると判断した場合に，それを購入するために，製品に関連する購入情報をインターネット・ベースのＥテイラに送ることができる（ブロック４１２）。後のアクセスのために，視聴者が関心を持った製品またはサービスに関する情報を保管することができることが望ましい。視聴者は，製品またはサービスに関して記憶することもメモすることも不要であり，視聴者の視聴の楽しみが中断されず，家を出ることすらせずに，簡単に購入を開始することができる。さらに，広告主および小売業者は，視聴者が製品やサービスを購入するのをより簡単で便利にすることによって，利益を得る。
【００３０】
  放送のタグ付け
  放送を用いて伝達された製品情報に視聴者がアクセスできるようになる前に，製品情報を放送ストリームに含めなければならない（すなわち，放送に，製品情報によって「タグ」を付ける）。通常，製品情報またはサービス情報は，その製品またはサービスの広告と一致するように放送ストリームに挿入される。しかし，上で述べたように，製品情報は任意のタイプの放送に付随する。たとえば，テレビジョンで言及されつつある本に関する情報をその放送に追加することができる。同様に，再生されつつある音楽に関連する情報を放送に追加することができる。さらに，映画またはテレビジョンのショーのシーンに現れる製品またはサービスに関する情報を放送に追加することができる。たとえば，映画で女優が着ているデザイナーブランドの服に関する情報を放送に追加することができる。多数の変形形態が可能である。」
　
「【００３９】
  視聴者が，保管された製品情報を，即座にまたは後のどちらで見ることを望むかにかかわらずに，情報を提示する実施形態の１つが，「仮想ショッピング・カート」の形である。・・・（中略）・・・
【００４０】
  図８に示された仮想ショッピング・カートには，視聴者が前に興味を示したアイテム８５０のリストが含まれる。リストされるアイテム８５０のそれぞれに，選択可能な量８２０，価格８２２，アイテムの購入に選択可能な小売業者８０６，製品に関連するさらなる情報を得るオプション８０８，およびリストからアイテムを除去するオプションが含まれる。」
　
　上記記載によれば，引用文献２には，次の事項が記載されているといえる。
　
＜引用文献２の記載事項＞
　インタラクティブ・テレビジョン・システムでの買物の方法であって，
　製品情報を，放送ストリームに追加あるいは挿入し（ブロック４００），
　放送ストリームを視聴者に伝達し（ブロック４０２），
　放送に対応する通常のオーディオ／ビデオを表示するほかに，製品情報が現在使用可能であることの表示を視聴者に表示し，たとえば，製品情報が使用可能であることを示すアイコンを画面に表示し（ブロック４０４），
　製品に関心を持つ場合，アイコンの出現時に，視聴者がリモート・コントロールの一つのボタンを押して，製品情報を後の検索のために保管し（ブロック４０８），
　視聴者は，再検討のために，保管された製品情報を検索し（ブロック４１０），保管された製品情報は，アイテムや価格などのリストを含んだ「仮想ショッピング・カート」として提示され，
　その時に，視聴者がその製品を購入すると判断した場合に，それを購入するために，製品に関連する購入情報をインターネット・ベースのＥテイラに送ることができ（ブロック４１２），
　放送を用いて伝達された製品情報に視聴者がアクセスできるようになる前に，製品情報を放送ストリームに含めなければならず（すなわち，放送に，製品情報によって「タグ」を付ける），たとえば，映画またはテレビジョンのショーのシーンに現れる製品またはサービスに関する情報を放送に追加することができ，たとえば，映画で女優が着ているデザイナーブランドの服に関する情報を放送に追加することができる，方法。」
　
（３）特開２００２−３３０４２２号公報
　
　当審において新たに引用した，特開２００２−３３０４２２号公報（以下，「引用文献３」という。）には，次の事項が記載されている（下線は，当審において付与した。）。
「【００３５】図３乃至図６は，前掲のデジタル放送に基づく販売システムＳｙｓ１を用いて実施される，本発明に係る
デジタル放送を用いた商品販売ビジネスの方法
供給側Ｓｐｙ１の商品提供部Ｓｐｌ１を商品のメーカ
供給部Ｂｄｓ１を放送局
【００３６】商品提供部Ｓｐｌ１（メーカ）はステップ３０１で供給部Ｂｄｓ１（放送局）から計画されている番組の情報，とりわけ情景の画面に現れる物品にかかる情報の提供を依頼し，供給部Ｂｄｓ１がステップ３０２で商品提供部Ｓｐｌ１へこの情報を提供する。商品提供部Ｓｐｌ１は入手した情報に基づき，該当する商品（たとえば新製品）を準備して供給部Ｂｄｓ１へ採用を勧誘する。或いは上記と異なり，商品提供部Ｓｐｌ１が，販売を意図する商品を使用した番組を企画してその提供者（スポンサー）となり，番組制作を供給部Ｂｄｓ１に委託する。
【００３７】
番組で使用される商品が決定されると，商品提供部Ｓｐｌ１はステップ３０３で供給部Ｂｄｓ１に撮影用として商品を提供し，また商品に関する詳細な情報や購入案内の情報を，対応情報として提供する。供給部Ｂｄｓ１のストリーム編成手段ｃｓｔ（図１参照）は，ステップ３０４で当該商品を使用した「情景」のテレビ番組コンテンツＡｖｃｔを制作し，また「対応情報」を載せたデータ放送コンテンツＤｔｃｔを作成し
供給部Ｂｄｓ１のデジタル放送手段ｓｂｃ（図１参照）は，ステップ３０５で，所定の放送日時に，上記のテレビ番組コンテンツＡｖｃｔとデータ放送コンテンツＤｔｃｔをＡＶサーバＳｖ３から取り出し，両コンテンツを同期させることで対応付けたオンエア・ストリームＯｓｔｒを編成して，デジタル放送媒体Ｂｃｍｄに載せてデジタル放送する
【００３８】ついで
視聴側Ｖｗ１（本実施形態では視聴者の家庭）は，ステップ３０６で双方向デジタル放送受信機の具備するデジタル放送受信手段ｒｂｃによりデジタル放送を受信して画面表示する（番組表示過程）
テレビ画面のイメージは図２に示されるイメージｉＴＶのように，テレビ番組コンテンツＡｖｃｔの情景でブローチを付けたキャスターが表示され，当該番組が進行する。ここで視聴者がブローチに興味を覚えて，さらに詳しい情報を所望する場合，リモコンのつまみを押すと，対応するデータ放送コンテンツＤｔｃｔの画面が表示される（データ放送表示過程）
【００３９】
対応情報１（ｆｇｄｔ１）は複数のページを有する階層構造であり
【００４０】視聴者がページｐ１１１上で項目「使用商品」を選択すると，画面はページｐ１２１に切り替わり，使用商品の一覧が表示される。あるいは「ＣＭ商品」を選択すると，画面はページｐ１２２に切り替わり，ＣＭ商品の一覧が表示される。たとえばページｐ１２１で，使用商品の一覧から着目する商品を選択すると，
画面はページｐ１３１に切り替わり，購入手続きのフォームが表示される。
【００４１】
前記のページｐ１３１には当該商品の価格，メーカの情報，問い合わせ先，予約を含む購入方法，購入可能な場所などが項目別で示され
注文ボタンＢ１
が表示される
ステップ３０７で視聴者が購入（予約）個数，購入（予約）者名，送付先，カード番号を入力し，注文ボタンＢ１をクリックすると注文発行手段ｏｄｓがトリガされ，注文発行手段ｏｄｓはテレビ画面上で視聴者によって為された上記指示に基づき予約を含む注文情報Ｉｏｒｄを設定し，ついで双方向通信手段ｉｃｍを駆動し，専用通信回線や公衆通信回線による通信路Ｎｗ（図１参照）を経由して供給側Ｓｐｙ１へ注文情報（情報コード）Ｉｏｒｄを直接伝達して注文（予約）する
　
　上記記載によれば，引用文献３には，次の事項が記載されているといえる。
＜引用文献３の記載事項＞
「デジタル放送を用いた商品販売ビジネスの方法であって，
　番組で使用される商品が決定されると，商品のメーカは，放送局に商品に関する詳細な情報や購入案内の情報を対応情報として提供し（ステップ３０３），
　放送局は，当該商品を使用した「情景」のテレビ番組コンテンツを制作し，また対応情報を載せたデータ放送コンテンツを作成し（ステップ３０４），
　放送局は，テレビ番組コンテンツとデータ放送コンテンツを同期させることで対応付けたオンエア・ストリームを編成して，デジタル放送媒体に載せてデジタル放送し（ステップ３０５），
　視聴者の双方向デジタル放送受信機は，デジタル放送を受信して番組を画面表示し（ステップ３０６），例えば，テレビ番組コンテンツの情景でブローチを付けたキャスターが表示され，視聴者がブローチに興味を覚えて，さらに詳しい情報を所望する場合，リモコンのつまみを押すと，対応するデータ放送コンテンツの画面が表示され，
　対応情報は複数のページを有する階層構造であり，購入手続きのフォームが表示されるページには，当該商品の価格，メーカの情報，問い合わせ先，予約を含む購入方法，購入可能な場所などが項目別で示され，注文ボタンが表示され，
　視聴者が購入個数，購入者名，送付先，カード番号を入力し，注文ボタンをクリックすると注文情報を設定し，専用通信回線や公衆通信回線による通信路を経由して商品のメーカへ注文情報を伝達して注文する（ステップ３０７），方法。」
　
４．対比
　次に，本件補正発明と引用発明とを対比する。
・引用発明は，映画やテレビ番組内に表示されるアイテム，例えば，シーン内の人によって着用されている蝶ネクタイのようなアイテムをユーザが選択すると，そのアイテムに関する情報を表示したり，そのアイテムを購入したりできるようにする方法である。
　したがって，引用発明の「スマートコンテンツをタグ付けし，スマートコンテンツと対話するための方法」は，本件補正発明の「動的デジタルイベントにおける複数の選択可能な品目に関する情報を選択し，かつ検索する方法」に相当する。
・引用発明のステップ２２０からステップ２５０は，コンテンツにタグを付けて，タグとタグ関連情報とのリンクを生成するステップである。そして，コンテンツ再生装置は，タグ付けされ，タグとタグ関連情報とのリンクが生成されたコンテンツを再生する。
　したがって，これらのステップは，ユーザのコンテンツ再生装置によって消費されるコンテンツを準備する段階であり，本件補正発明の「エンドユーザの電子デバイス上に提示するための前記動的デジタルイベントの準備をするステップ」に相当する。
　
・引用発明の「コンテンツ内で表示されたアイテムを特定したことに基づいて，１つまたは複数のタグを生成し（ステップ２３０）」は，本件補正発明の「前記動的デジタルイベント内の前記複数の選択可能な品目の各々に対して複数のタグを作成するステップ」に相当する。
　また，引用発明のタグは，アイテム，製品等を特定し，識別子を有し，また，タグ付けされたアイテムは，例えば，「シーン内の人によって着用されている蝶ネクタイ」のような有体物であり，ユーザによって選択可能であり，購入可能である。
　したがって，引用発明の上記ステップは，本件補正発明の「前記タグは前記動的デジタルイベント内の前記複数の選択可能な品目の各々に対してその全部または一部を識別するものであり，前記複数の選択可能な品目の各々は，前記動的デジタルイベント内に表示される有体物を示すものであり，かつ，前記複数の選択可能な品目は購入可能であるステップ」に相当する。
　
・引用発明の「タグ関連情報」は，アイテムに付けられたタグにリンクされ，ユーザが当該アイテムをマーク（選択）したときに提示される，アイテムに関する情報，アイテムを購入するアクションの情報を含む。
　したがって，引用発明の「タグとタグ関連情報（ＴＡＩ）の間のリンクを生成し（ステップ２４０）」は，本件補正発明の「前記複数の選択可能な品目の各々に対してメタデータを追加するステップであって，前記メタデータは前記複数の選択可能な品目の各々に対する記述を含む，ステップ」に相当する。
・引用発明の「表示されたシーンにおいて，タグの視覚的表現である，１つまたは複数の対話的なコンテンツ・マーカ９１０を表示し，例えば，シーン内の人によって着用されている蝶ネクタイをマークする対話的なコンテンツ・マーカ９１０の１つは，当該蝶ネクタイに関するタグ関連情報（例えば，追加の情報および／または１つもしくは複数のアクション）が利用可能であることを示し」は，本件補正発明の「前記動的デジタルイベントの少なくとも一部内に前記複数の選択可能な品目のうちの一つ以上が存在することの指示を前記エンドユーザの前記電子デバイス上に表示するステップ」に相当する。
　
・引用発明の，「ユーザは，コンテンツ再生装置でコンテンツを消費している間に，あるいは，コンテンツを一時停止している間に，コンテンツ内で表示されたアイテムを選択し，そうすると，対応するタグが選択され（ステップ７４０）」
「選択されたタグに関連するタグ関連情報を決定し，例えば，タグとタグ関連情報等の間のリンクを決定するかリポジトリから取り出し（ステップ７５０）」
　「選択されたタグに関連するタグ関連情報に基づいて，アクションを実行し，または，情報を決定し，例えば，購入の開始，情報ダイアログの表示，検索の実行を行い，（ステップ７６０）」は，ユーザがアイテムを選択すると，ユーザのコンテンツ再生装置上に，そのアイテムのタグとリンクしたタグ関連情報を表示するステップといえる。
　ただし，タグ関連情報すなわちタグ関連情報は，映画やテレビ番組のコンテンツ内に含まれるかどうかは不明である。
　したがって，引用発明のステップと，本件補正発明の「前記複数の選択可能な品目のうちの少なくとも一つの品目を前記エンドユーザが選択したか否かを決定するステップと，
　前記少なくとも一つの品目を前記エンドユーザが選択したという前記決定に基づいて，前記エンドユーザの前記電子デバイス上に，選択された前記少なくとも一つの品目に対応付けられ，且つ，表示されている前記動的デジタルイベントのコンテンツ内に含まれている前記メタデータを表示するステップ」は，
　「前記複数の選択可能な品目のうちの少なくとも一つの品目を前記エンドユーザが選択したか否かを決定するステップと，
　前記少なくとも一つの品目を前記エンドユーザが選択したという前記決定に基づいて，前記エンドユーザの前記電子デバイス上に，選択された前記少なくとも一つの品目に対応付けられている前記メタデータを表示するステップ」の点で共通する。
　
　したがって，本件補正発明と引用発明は，次の点で一致し，また，相違する。
＜一致点＞
「　動的デジタルイベントにおける複数の選択可能な品目に関する情報を選択し，かつ検索する方法であって，
　エンドユーザの電子デバイス上に提示するための前記動的デジタルイベントの準備をするステップであって，
　　前記動的デジタルイベント内の前記複数の選択可能な品目の各々に対して複数のタグを作成するステップであって，前記タグは前記動的デジタルイベント内の前記複数の選択可能な品目の各々に対してその全部または一部を識別するものであり，前記複数の選択可能な品目の各々は，前記動的デジタルイベント内に表示される有体物を示すものであり，かつ，前記複数の選択可能な品目は購入可能であるステップと，
　　前記複数の選択可能な品目の各々に対してメタデータを追加するステップであって，前記メタデータは前記複数の選択可能な品目の各々に対する記述を含む，ステップと，
を含むステップと，
　前記動的デジタルイベントの少なくとも一部内に前記複数の選択可能な品目のうちの一つ以上が存在することの指示を前記エンドユーザの前記電子デバイス上に表示するステップと，
　前記複数の選択可能な品目のうちの少なくとも一つの品目を前記エンドユーザが選択したか否かを決定するステップと，
　前記少なくとも一つの品目を前記エンドユーザが選択したという前記決定に基づいて，前記エンドユーザの前記電子デバイス上に，選択された前記少なくとも一つの品目に対応付けられている前記メタデータを表示するステップと，を含む，方法。」
　
＜相違点１＞
　本件補正発明は「前記動的デジタルイベントが前記エンドユーザの前記電子デバイス上に表示可能となる前に，作成した前記複数のタグと追加した前記メタデータとを前記動的デジタルイベントに含めるステップ」を含むのに対し，引用発明は，当該ステップを含まない点。
　
＜相違点２＞
　メタデータが，本件補正発明では「表示されている前記動的デジタルイベントのコンテンツ内に含まれている」のに対し，引用発明では，映画やテレビ番組などのコンテンツ内に含まれていない点。
　
５．判断
　
＜相違点１＞＜相違点２＞について
　
　引用発明は，様々な方法でタグとタグ関連情報をユーザに提供するが，その一例として，タグの配信をコンテンツ配信に含めることができる（「[0050] In various embodiments, content distribution 110 may include the delivery of tags 115. 」）。
　また，タグ関連情報は，コンテンツとともに配信することができる（「[0070] ・・・（中略）・・・ In one embodiment, local marking services 140 provide only TAI 135 that has been delivered along with content 105. 」）。
　したがって，引用発明は，タグやタグ関連情報をコンテンツとともに配信するものである。
　一方，引用文献２，３には，タグやタグ関連情報のようなコンテンツ内に表示されるアイテムの情報を，コンテンツとともに配信するための具体的構成が開示されている。
　引用文献２に記載された製品情報は，図８に示されるようなアイテム「Coffee Supreme - Coffee Maker XYZ123」や価格「＄３４．９９」などの情報を含み，映画で女優が着ているデザイナーブランドの服に関する情報のような，映画またはテレビジョンのショーのシーンに現れる製品の情報である。シーンに現れる製品は，リモート・コントロールを用いて画面に表示されたアイコンを選択することにより，選択可能である。したがって，この製品情報は，動的デジタルイベント内に表示される有体物を識別し，動的デジタルイベント内の選択可能な品目に対する記述である点で，本件補正発明の「タグ」「メタデータ」に相当し，また，引用発明の「タグ」「タグ関連情報」に相当する。そして，引用文献２には，この製品情報によって放送にタグを付け，製品情報を放送ストリームに追加あるいは挿入することが記載されている。映画やショーなどの放送ストリームに，製品情報を追加あるいは挿入することは，動的デジタルイベントがエンドユーザの電子デバイス上に表示可能となる前に，作成した複数のタグと追加したメタデータを動的デジタルイベントに含めることにほかならない。
　また，引用文献３に記載された対応情報は，テレビ番組コンテンツ内に表示される商品の情報，例えば，キャスターが付けているブローチの情報であり，図６に示されるような「商品名」「価格」等の情報である。そして，視聴者が商品に興味を覚えて，さらに詳しい情報を所望する場合に，リモコンのつまみを押すと画面に表示される。したがって，この対応情報も，動的デジタルイベント内に表示される有体物を識別し，動的デジタルイベント内の選択可能な品目に対する記述である点で，本件補正発明の「タグ」「メタデータ」に相当し，また，引用発明の「タグ」「タグ関連情報」に相当する。
　引用文献３には，この対応情報を載せたデータ放送コンテンツを制作し，テレビ番組コンテンツとデータ放送コンテンツとを載せたオン・エア・ストリームを作成することが記載されているが，このようなオン・エア・ストリームを作成することは，動的デジタルイベントがエンドユーザの電子デバイス上に表示可能となる前に，作成した複数のタグと追加したメタデータを動的デジタルイベントに含めることにほかならない。
　
　引用発明のコンテンツ配信は，テレビ信号を介したブロードキャストを含み，タグやタグ関連情報をコンテンツとともに配信するものである。一方，引用文献２，引用文献３に記載された発明も，テレビジョン放送により，引用発明のタグやタグ関連情報に相当する情報を，コンテンツに含めて配信するものである。
　してみると，引用発明において，「タグ」「タグ関連情報」を配信するために，引用文献２，３の記載事項を適用して，コンテンツを配信する前に，「タグ」「タグ関連情報」をコンテンツに含め，相違点２，３に係る構成を備えるようにすることは容易に想到し得ることである。
　
　そして，本件補正発明の作用効果も，引用発明及び引用文献２，３の記載事項から当業者が予測できる範囲のものである。
　したがって，本件補正発明は，引用発明及び引用文献２，３の記載事項に基づいて，当業者が容易に発明をすることができたものであり，特許法第２９条第２項の規定により特許出願の際，独立して特許を受けることができないものである。
６．補正却下の決定のむすび
　
　以上のとおり，本件補正は，特許法第１７条の２第５項の規定に違反し，仮に，同項第２号に規定される特許請求の範囲の減縮を目的とするものであったとしても，特許法第１７条の２第６項において準用する同法第１２６条第７項の規定に違反するので，同法第１５９条第１項の規定において読み替えて準用する同法第５３条第１項の規定により却下すべきものである。
　
第３　本願発明
  　
　平成２６年１０月２３日の手続補正は上記のとおり却下されたので，本願の請求項１に係る発明（以下，「本願発明」という。）は，平成２６年４月８日の手続補正により補正された特許請求の範囲の請求項１に記載された事項により特定されるものである（前記第２，１．の＜本件補正前の請求項１＞）。
　
第４　引用文献
　
　引用文献１の記載事項は，前記第２，３．に記載したとおりである。
　
第５　対比及び判断
　
　本願発明は，本件補正発明から前記第２，１．に示した追加事項，限定事項を省いたものである。本件補正発明と引用発明との間の上記相違点１，２は，この追加事項，限定事項に係るものであるから，これらの事項が省かれたことにより，本願発明は引用発明と実質相違しない。
　したがって，本願発明は，引用発明と実質同一であり，あるいは，引用発明に基づいて当業者が容易に発明をすることができたものであるから，特許法第２９条第１項第３号，または，特許法第２９条第２項の規定により，特許を受けることができない。
 　 
第６　むすび
　
 　以上のとおり，本願発明は，特許法第２９条第１項第３号，または，特許法第２９条第２項の規定により特許を受けることができない。 
 　したがって，本願は他の請求項について検討するまでもなく拒絶されるべきものである。 
 　よって，結論のとおり審決する。